(57)【要約】【課題】  ディスプレイ装置において、装置運搬時の安全かつ安定した走行を可能とし、もって装置の運搬時の転倒を防止すること。【解決手段】  液晶表示パネル１６を有する表示部１２がキャスタ輪１８を備えた専用台１４に対して下降されると、これに連動して左右一対の脚プレート２４が横軸２０周りに下方回動することによって当該各脚プレート２４の補助輪２２が表示部１２内から外部に出る。この表示部１２外に出た補助輪２２は、下死点に達すると床面３２に接地する。【選択図】        図５
2009157008.tif 000002
【特許請求の範囲】
【請求項１】
表示パネルを有する表示部が底部にキャスタ輪を備えた専用台に対して昇降可能とされたフラットディスプレイ装置であって、
前記表示部内の下縁部の左右両端部において軸線周りに回動自在に支持され、先端部に補助輪を有する左右一対の脚と、
前記表示部の下降に連動して、前記一対の脚を軸線周りに下方回動させることによって当該各脚の補助輪を前記表示部内から外部に出して当該補助輪を床面に接地させるように、前記表示部を前記専用台で昇降自在に支持させるための支持機構と、を含むことを特徴とするディスプレイ装置。
【請求項２】
前記表示部の下降中に前記専用台のキャスタ輪をロックするためのロック機構をさらに含むことを特徴とする請求項１に記載のディスプレイ装置。
【請求項３】
前記表示部の下降に伴って前記一対の脚の補助輪が床面に接地したときに、前記専用台のキャスタ輪のロック状態を解除させるためのロック解除機構をさらに含むことを特徴とする請求項２に記載のディスプレイ装置。
【請求項４】
前記表示部の下降を契機として、当該表示部への電力供給を遮断するための電力供給遮断機構をさらに含むことを特徴とする請求項１〜請求項３の何れか１項に記載のディスプレイ装置。
【請求項５】
前記キャスタ輪を前記専用台の側方に引出し可能とするための引出し機構をさらに含むことを特徴とする請求項１〜請求項４の何れか１項に記載のディスプレイ装置。
【発明の詳細な説明】
【技術分野】
【０００１】
本発明は、ディスプレイ装置に関し、特に、フラットディスプレイ装置を運搬するための技術に係わる。
【背景技術】
【０００２】
周知のように、液晶ディスプレイ装置に代表されるフラットディスプレイ装置の普及は目覚しいものがある。
【０００３】
なかでも、大型の画面を有する大型のフラットディスプレイ装置は、会議及びプレゼンテーション等において頻繁に利用されるようになっており、これに伴って、大型のフラットディスプレイ装置を各所に運搬（移動）させることが必然的に多くなっている。
【０００４】
ディスプレイ装置の運搬に関する技術の典型的な例としては、特許文献１及び２にて提案されているものを挙げることができる。
【０００５】
特許文献１には、自立型フラットディスプレイ装置において、表示パネルを平板状の第１の建具に埋込み状態で取り付け、この第１の建具と略同一の第２の建具との間に、支柱の上下にそれぞれ対に設けた連結部材を渡して軸支させて両者を連結し、上記各建具の下部にキャスタ等の移動部材を配置し、この移動部材により装置の移動を行なえるにする旨が開示されている。
【０００６】
他方、特許文献２には、ディスプレイ移動ユニットにおいて、可動フレームを最下降位置まで押下げると、係止爪が係止ピンに係合して可動フレームが係止され、次いでカバーを閉じれば、フラットディスプレイ装置及び機器がケース本体内に格納され、カバーを閉じると共に補助脚を補助フレーム側に回動させれば、保管場所へ引いて移動させることができる旨が開示されている。
【特許文献１】特開２０００−２２５０４７号公報
【特許文献２】特開２００２−１４９０８４号公報
【発明の開示】
【発明が解決しようとする課題】
【０００７】
しかしながら、上記特許文献１に記載の技術では、いわばキャスタ付きのパーテーションのような形態でディスプレイ装置を移動させるようになっているので、薄型であっても大型で重量的にも重い表示パネルが第１の建具の上部に埋込んだ状態で取り付けられている場合には、倒れのモーメントの危惧が解消されず、安定かつ安全に装置を運搬できないおそれが依然としてある。
【０００８】
また、上記特許文献２に記載の技術では、いわばキャスタ付のキャリーバッグのような形態でディスプレイ装置を引きながら移動させるようになっているので、その表示パネルが薄型であっても大型である場合には、重量的にもかなり重いので、１人で引っ張るには相当程度の力を要し困難であり、これに伴って運搬時に装置のみならずユーザの転倒等のおそれも生じる。
【０００９】
本発明は、上記技術的課題に鑑みなされたもので、装置運搬時の安全かつ安定した走行を可能とし、もって装置の運搬時の転倒を防止し得る、ディスプレイ装置の提供を目的とする。
【課題を解決するための手段】
【００１０】
上記目的を達成するための本発明に係るディスプレイ装置は、表示パネル有する表示部が底部にキャスタ輪を備えた専用台に対して昇降可能とされたフラットディスプレイ装置であって、表示部内の下縁部の左右両端部において軸線周りに回動自在に支持され、先端部に補助輪を有する左右一対の脚と、表示部の下降に連動して、一対の脚を軸線周りに下方回動させることによって当該各脚の補助輪を表示部内から外部に出して当該補助輪を床面に接地させるように、表示部を専用台で昇降自在に支持させるための支持機構と、を含む。
【００１１】
上記構成によれば、表示部が専用台に対して下降されると、これに連動して一対の脚が軸線周りに下方回動することによって当該各脚の補助輪が表示部内から外部に出る。この表示部外に出た補助輪は、下死点に達すると床面に接地する。
【００１２】
ところで、表示部を下降させている最中に専用台が移動しないようにする必要がある。
【００１３】
そこで、上記ディスプレイ装置は、表示部の下降中に専用台のキャスタ輪をロックするためのロック機構をさらに含む。
【００１４】
また、表示部を下降させて補助輪を接地させた後で手作業にてキャスタ輪のロック状態を解除するのは煩雑である。
【００１５】
そこで、上記ディスプレイ装置は、表示部の下降に伴って一対の脚の補助輪が床面に接地したときに、専用台のキャスタ輪のロック状態を解除させるためのロック解除機構をさらに含む。
【００１６】
さらに、装置の運搬に際しては、ユーザ等に対する電気的な危険性を排除することも必要である。
【００１７】
そこで、上記ディスプレイ装置は、表示部の下降を契機として、当該表示部への電力供給を遮断するための電力供給遮断機構をさらに含む。
【００１８】
さらにまた、運搬時の装置の転倒をより効果的に防止するには、脚の補助輪間のホイールベース距離と専用台のキャスタ輪間のホイールベース距離とが同距離に揃うことが好ましい。
【００１９】
そこで、上記ディスプレイ装置は、キャスタ輪を専用台の側方に引出し可能とするための引出し機構をさらに含む。
【発明の効果】
【００２０】
表示パネルを有する表示部を支持する専用台を備えたフラットディスプレイ装置にあっては、重心が上にあることに起因して運搬時の装置の走行が不安定となるが、表示部を専用台に対して下降させると、薄型かつ大型の表示パネルが組込まれた表示部を支える専用台のキャスタ輪だけではなく、表示部内に収まっていた左右の補助輪も接地するので、装置の運搬時に、安全かつ安定した走行が可能となり、装置の運搬時の転倒を防止できる。
【発明を実施するための最良の形態】
【００２１】
以下、本発明の実施の形態について、添付図面に基づき詳細に説明する。
【００２２】
図１は本発明の実施の形態に係るディスプレイ装置１０の構成を示す正面図である。図１を参照して、本実施の形態に係るディスプレイ装置１０は、大型のフラットディスプレイ装置であって、表示部１２と、この表示部１２を昇降可能に支持する専用台１４とを含む。
【００２３】
表示部１２は、横長の長方形形状を有しており、当該表示部１２の形状と相似形状をなす大型の画面を有する入出力液晶表示パネル１６が組込まれている。
【００２４】
本ディスプレイ装置１０では、図１に示すように、表示部１２を上に上昇させた状態で当該表示部１２の液晶表示パネル１６に文字及び図形等のオブジェクトを含む種々の情報が表示される。特に、本実施の形態においては、液晶表示パネル１６には図示しない記入用のタッチペンで文字等のオブジェクトが記入可能とされる。具体的には、タッチペンでオブジェクトの記入が直接行なわれ、そのときのタッチペンのタッチ位置である座標位置が検出され、この検出された位置に応じて液晶表示パネル１６へのオブジェクト表示がなされ、それによってオブジェクトの記入が実現される。
【００２５】
また、本ディスプレイ装置１０には、図示しないネットワークを介して図外のパーソナルコンピュータ（ＰＣ）が接続されている。ネットワークを経由してＰＣより文字データ及び画像データ等の種々のデータが送られると、ディスプレイ装置１０は、これを受信して液晶表示パネル１６に表示する。
【００２６】
表示部１２は、液晶表示パネル１６に加えて、何れも図示しない画像メモリ、表示制御部及び文字認識部を含む。表示部１２において画像データを受信すると、これを画像メモリに格納する。表示制御部は、画像メモリ内の画像データから液晶駆動信号を生成し、その駆動信号によって液晶表示パネル１６を駆動する。これにより、液晶表示パネル１６に画像が表示される。この画像は、上記画像メモリに設定されている画像である。文字認識部は、画像メモリ内の画像データを入力し、文字認識を行なう。文字認識に関しては、文字認識部の辞書メモリの文字パターンを参照することによって達成される。文字認識部は、認識した文字を、例えば、明朝体及びゴシック体等の種々の書体に変換する。すなわち、画像メモリ内の文字部分を変換する。画像メモリ内の画像データは、液晶表示パネル１６に転送されるので、ユーザが書いた手書き文字が清書されて表示される。
【００２７】
本実施の形態においては、ディスプレイ装置１０を運搬するために、専用台１４の底部に４つのキャスタ輪１８が備えられ、表示部１２内の下縁部の左右両端部には、第１の横軸２０周りに回動自在に支持され、先端部に補助輪２２を有する左右一対の脚プレート２４が備えられている。これら脚プレート２４は、長手の板状部材である。
【００２８】
ここで、上記専用台１４で表示部１２を昇降自在に支持するための支持機構３０について、図２も参照して説明する。なお、図２は支持機構３０の構成を示す斜視図である。
【００２９】
図１及び図２に示すように、上記支持機構３０は、表示部１２を専用台１４で昇降自在に支持するように構成されている。この支持機構３０においては、表示部１２の下降に連動して、上記一対の脚プレート２４が第１の横軸２０周りに下方回動することによって当該各脚プレート２４の補助輪２２が表示部１２内から外部に出て当該補助輪２２が床面３２に接地される。それゆえ、支持機構３０には、先端部が脚プレート２４の後端部に接触する左右一対のスライドプレート３４と、専用台１４内で頂部３６を中心として線対称関係をなし、各スライドプレート３４をその水平姿勢を保持させた状態で左右方向にスライド移動させるための左右一対のガイド面３８と、各ガイド面３８に沿って摺接しながら上下方向にスライド移動する左右一対のスライドブロック４０と、スライドプレート３４とスライドブロック４０とを連結するリンクプレート４２とを含む。
【００３０】
スライドプレート３４は、そのスライド方向に沿って長孔４４が形成された長手の部材であって、３つのピン４６，４８，５０によってその水平姿勢が保持されている。第１のピン４６は、スライドプレート３４の長孔４４に挿通されている。第２及び第３のピン４８，５０は、上下に対をなした状態でスライドプレート３４を挟持している。第１のピン４６は、第２及び第３のピン４８，５０よりも表示部１２の中央部寄りに配置されている。
【００３１】
脚プレート２４及びスライドプレート３４の両者の接触面となる、脚プレート２４の後端部及びスライドプレート３４の先端部には、補助輪２２が床面３２に接地したときに当該脚プレート２４の後端部及びスライドプレート３４の先端部により区画される内角が略直角をなすように（図５（Ｃ）参照）、互いに逆方向にテーパ５２，５４が形成されている。
【００３２】
ガイド面３８は、上記の専用台１４内の頂部３６から専用台１４の左右両側面に開けられた第１の開口５６に向かって下り勝手に漸次傾斜している。これら左右に対をなすガイド面３８を挟んだ前後には、支持プレート５８が垂直方向に沿って立設されている。これら支持プレート５８のガイド面３８との対向面には、山及び谷が連続して形成されている。このように、支持プレート５８に山及び谷が連続して形成されることによって、表示部１２が上昇されて上死点に達し液晶表示パネル１６によるオブジェクトを含む種々の情報の表示が可能となったときには（図５（Ａ）参照）、支持プレート５８の上端部の谷空間へのスライドブロック４０の下側角部の係合と、ガイド面３８でのスライドブロック４０の受止めとによって、その状態が保持される。また、表示部１２を下降させる際には、上記の角部が支持プレート５８の山及び谷に摺接しながら下降することになり、表示部１２がユーザの意に反して一気にスライド下降することはない。
【００３３】
スライドブロック４０の先端部は、ガイド面３８の傾斜角と同角度のテーパ６０が形成されている。
【００３４】
リンクプレート４２の一端は、スライドプレート３４の長孔４４よりも先端部側の面に溶接等により固定され、他端は、スライドブロック４０の後端面に溶接等により固定されている。それゆえに、表示部１２を下降に同期して、スライドブロック４０がガイド面３８に沿ってスライド下降すると共に、スライドプレート３４が脚プレート２４を押す方向にスライド移動することになる。
【００３５】
また、本ディスプレイ装置１０は、表示部１２の下降中においては専用台１４のキャスタ輪１８をロックするためのロック機構７０を備えている。このロック機構７０は、専用台１４内において第２の横軸７２周りに揺動自在に支持されたブレーキパッド７４と、このブレーキパッド７４の一端部をキャスタ輪１８の転動面を押圧する方向に付勢するコイルばね７６とを含み、ブレーキパッド７４の一端部の押圧力によりキャスタ輪１８の転動が阻止されるように構成されている。
【００３６】
コイルばね７６の上端は、専用台１４内のブラケット７８に取り付けられ、下端は、ブレーキパッド７４の一端部に取り付けられている。
【００３７】
さらに、本ディスプレイ装置１０は、表示部１２の下降に伴って一対の脚プレート２４の補助輪２２が床面３２に接地したときに、専用台１４のキャスタ輪１８のロック状態を解除させるためのロック解除機構８０を備えている。このロック解除機構８０は、上記スライドブロック４０の両側面から前後方向に向かって突設された舌片状のプッシャプレート８２と、このプッシャプレート８２の下面から下方に向かって突設された棒状のプッシャ８４とを含み、表示部１２の下降に伴って、スライドブロック４０と一体的に下降してプッシャ８４がブレーキパッド７４の他端部を押圧してキャスタ輪１８のロック状態を解除するように構成されている。
【００３８】
ところで、表示部１２への電力供給は、専用台１４側のドロアーコネクタ９０と表示部１２側のドロアーコネクタ９２との接続により達成される。
【００３９】
そこで、本ディスプレイ装置１０では、図３に示すように、表示部１２の下降を契機として、当該表示部１２への電力供給を遮断するための電力供給遮断機構１００が備えられている。
【００４０】
図３は電力供給遮断機構１００の構成を示す断面図である。図３を参照して、上記電力供給遮断機構１００は、専用台１４の前面中央部において表示部１２に向かって開口され、その上壁にドロアーコネクタ９０が取り付けられた凹所１０２と、表示部１２の背面から凹所１０２内に向かって突設され、その上面にドロアーコネクタ９２が取り付けられたコネクタ支持ブロック１０４とを含み、表示部１２を下降させると、これを契機に専用台１４側のドロアーコネクタ９０のボス１０６と表示部１２側のドロアーコネクタ９２のボス孔１０８との嵌合が解かれ、それによってドロアーコネクタ９０，９２同士が非接続状態になるように構成されている。なお、上記凹所１０２は、説明の便宜上、図１及び図５においてはその図示が省略されている。
【００４１】
さらにまた、本ディスプレイ装置１０では、図４に示すように、キャスタ輪１８を専用台１４の左右両側方に引出し可能とするための引出し機構１１０が備えられている。
【００４２】
図４は引出し機構１１０の構成を示す図である。図４を参照して、上記引出し機構１１０は、専用台１４の左右両側面において上記第１の開口５６よりも下側に形成された第２の開口１１２内に専用台１４の外側から挿入され、その先端部にキャスタ輪１８の車軸が挿通された引出しプレート１１３と、専用台１４内において引出しプレート１１３を挟んで引出し方向に沿って前後に対をなし、当該引出しプレート１１３を引出し自在に案内するためのガイドレール１１６と、引出しプレート１１３の車軸挿通位置よりも奥側上面の凹部に出没自在に嵌め込まれたラッチ１１８と、ラッチ１１８と引出しプレート１１３の凹部底面との間に介装され、ラッチ１１８を上方に付勢する圧縮コイルばね１２０とを含み、引出しプレート１１３の先端部に設けられた取っ手１２２を掴んで当該引出しプレート１１３を専用台１４外に引出しその引出し量が所定量に達したときにラッチ１１８が上に突出し、それによって床面３２に接地した補助輪２２間のホイールベース距離とキャスタ輪１８間のホイールベース距離とが揃うように構成されている。
【００４３】
上記構成において、図５（Ａ）に示す、ドロアーコネクタ９０，９２同士が接続されて表示部１２に電力が供給され、それによって液晶表示パネル１６上でのオブジェクト等の種々の情報の表示が可能な状態から、図５（Ｂ）に示すように、本ディスプレイ装置１０を運搬しようと、ユーザが表示部１２を専用台１４に対して下降させると、図２に示すスライドブロック４０がガイド面３８に沿って下方にスライド移動し、これに伴ってスライドプレート３４が、矢印１８０で示すように、先端部の補助輪２２を有する脚プレート２４を押す方向に水平方向に沿ってスライド移動する。そうすると、脚プレート２４は、スライドプレート３４の押圧力により、矢印２００で示すように、第１の横軸２０周りに下方回動し、それによって左右の補助輪２２が表示部１２内から外に出る。この表示部１２の下降を契機として、専用台１４の凹所１０２内での専用台１４側のドロアーコネクタ９０のボス１０６及び表示部１２側のドロアーコネクタ９２のボス孔１０８同士の位置決めが外れ、それによってドロアーコネクタ９０，９２同士の接続が解除される。つまり、図３（Ａ）に示す状態から図３（Ｂ）に示す状態となる。
【００４４】
表示部１２の下降をさらに続けその下死点に達すると、図５（Ｃ）に示すように、左右の補助輪２２が床面３２に接地する。このとき、プッシャ８４がブレーキパッド７４の他端部を押すので、ブレーキパッド７４の一端部側がコイルばね７６の付勢力に抗して第２の横軸７２周りに上方回動し、それによってキャスタ輪１８のロック状態が解除される。
【００４５】
補助輪２２が接地しキャスタ輪１８のロック状態が解除された時点では、図６（Ａ）に示すように、キャスタ輪１８間のホイールベース距離は補助輪２２間のホイールベース距離より短いので、図６（Ｂ）に示すように、引出しプレート１１３の取っ手１２２を掴んで引出しプレート１１３を専用台１４外に引出してキャスタ輪１８間のホイールベース距離を補助輪２２間のホイールベース距離に揃える。このとき、図４（Ａ）に示す圧縮コイルばね１２０の付勢力によりラッチ１１８が引出しプレート１１３上に突出す。なお、図６においては、支持機構３０のガイド面３８のみを図示しその他の要素の図示は省略している。
【００４６】
上記一連の作業を経て、キャスタ輪１８及び補助輪２２の両者のホイールベース距離を揃えた状態で本ディスプレイ装置１０の運搬が行なわれるが、上記したように、ラッチ１１８が上に突出ているので、運搬時の衝撃等により引出しプレート１１３が専用台１４に向かってスライド移動されるのが阻止され、それによって補助輪２２間のホイールベース距離に対してキャスタ輪１８間のホイールベース距離が短くなることはない。
【００４７】
他方、プレゼンテーション及び会議等が行なわれる室内等に本ディスプレイ装置１０が運搬され、当該ディスプレイ装置１０を使ってプレゼンテーション及び会議等が行なわれるにあたり、まず、引出しプレート１１３を専用台１４内に押入れてキャスタ輪１８間のホイールベース距離を本来の距離に戻す。このとき、引出しプレート１１３の押入れ力に伴って、図４（Ａ）に示す圧縮コイルばね１２０の付勢力に抗してラッチ１１８が当該引出しプレート１１３の凹部内に没入される。これにより、ディスプレイ装置１０は、図５（Ｃ）に示す状態となる。
【００４８】
そして、図５（Ｂ）に示すように、ユーザが表示部１２を専用台１４に対して上昇させると、図２に示すスライドブロック４０がガイド面３８に沿って上方にスライド移動し、これに伴ってスライドプレート３４が、矢印１８２で示すように、表示部１２の中央部に向かって水平にスライド移動する。そうすると、後端部がスライドプレート３４の先端部に接触している脚プレート２４は、矢印２０２で示すように、第１の横軸２０周りに上方回動し、それによって左右の補助輪２２が床面３２から離間する。
【００４９】
表示部１２の上昇をさらに続けその上死点に達すると、図５（Ａ）に示すように、左右の補助輪２２が脚プレート２４と共に表示部１２内に収まる。このとき、専用台１４の凹所１０２内において表示部１２側のドロアーコネクタ９２のボス孔１０８が専用台１４側のドロアーコネクタ９０のボス１０６に嵌合し、それによってドロアーコネクタ９０，９２同士が接続する。つまり、図３（Ｂ）に示す状態から図３（Ａ）に示す状態となる。その結果、表示部１２への電力供給が可能となり、それによって液晶表示パネル１６上でのオブジェクト等の種々の情報の表示が可能な状態となる。
【００５０】
以上の説明から明らかな通り、本実施の形態によると以下の作用・効果を奏する。
【００５１】
（１）表示部１２が専用台１４に対して下降されると、これに連動して一対の脚プレート２４が下方回動することによって当該各脚プレート２４の補助輪２２が表示部１２内から外部に出され、この表示部１２外に出た補助輪２２が下死点に達すると床面３２に接地するので、本ディスプレイ装置１０の運搬時には、専用台１４の４個のキャスタ輪１８に表示部１２内から出た２個の補助輪２２を加えた合計６個の移動輪が使用されることになる。その結果、装置の安定した運搬が可能となると共に装置の転倒も防止できる。
【００５２】
（２）表示部１２の下降中においては専用台１４のキャスタ輪１８がロックされるので、表示部１２を下降させている最中に専用台１４が移動することはない。その結果、表示部１２の下降作業を安全に行なえる。
【００５３】
（３）表示部１２の下降に伴って一対の脚プレート２４の補助輪２２が床面に接地したときに、専用台１４のキャスタ輪１８のロック状態が解除されるので、表示部１２を下降させて補助輪２２を接地させた後で手作業にてキャスタ輪１８のロック状態を解除する必要がなくなる。
【００５４】
（４）表示部１２の下降を契機として、当該表示部１２への電力供給が遮断されるので、装置の運搬に際し、ユーザ等に対する電気的な危険性を排除することが可能となる。
【００５５】
（５）キャスタ輪１８が専用台１４の側方に引出し可能とされているので、脚プレート２４の補助輪２２間のホイールベース距離と専用台１４のキャスタ輪１８間のホイールベース距離とを同距離に揃えることができる。その結果、運搬時の装置の転倒をより効果的に防止することが可能となる。
【００５６】
なお、本発明は上記実施の形態に限定されるものではない。例えば、上記実施の形態において、支持機構にエアダンパ等を使用して流体圧により表示部を上死点で保持するように構成してもよい。この場合には、山及び谷を連続して形成された前後一対の支持プレートを排除することが可能となる。また、上記実施の形態において、キャスタ輪のロック機構をブレーキパッドとその上方のブラケットとの間にコイルばねを介装し、このコイルばねの付勢力によってブレーキパッドの一端部がキャスタ輪の転動面を押圧してロックするように構成した例について記載した。しかし、本発明はそのような構成には限定されない。プレーキパッドの揺動軸にねじりコイルばねを外装し、このねじりコイルばねの付勢力によってブレーキパッドの一端部がキャスタ輪の転動面を押圧してロックする構成としてもよい。代替的に、ブレーキパッドの一端部に錘を取り付け、ブレーキパッドの自重でキャスタ輪の転動面を押圧してロックするようにしても構わない。その他、本明細書に添付の特許請求の範囲内での種々の設計変更及び修正を加え得ることは勿論である。
【００５７】
すなわち、本明細書で開示された実施の形態は単に例示であって、本発明が上記した実施の形態のみに限定されるわけではない。本発明の範囲は、発明の詳細な説明の記載を参酌した上で、特許請求の範囲の請求項によって示され、そこに記載された文言と均等の意味及び範囲内での全ての変更を含む。
【図面の簡単な説明】
【００５８】
【図１】本発明の実施の形態に係るディスプレイ装置の構成を示す正面図である。
【図２】支持機構の構成を示す斜視図である。
【図３】電力供給遮断機構の構成を示す断面図である。
【図４】引出し機構の構成を示す断面図である。
【図５】同ディスプレイ装置の運搬及び設置時の各部の動きを説明するための図である。
【図６】（Ａ）はキャスタ輪を専用台から引出す前の状態を示す斜視図、（Ｂ）はキャスタ輪を専用台から引出した状態を示す斜視図である。
【符号の説明】
【００５９】
１０  ディスプレイ装置
１２  表示部
１４  専用台
１６  液晶表示パネル
１８  キャスタ輪
２０  横軸
２２  補助輪
２４  脚プレート
３０  支持機構
３２  床面
７０  ロック機構
８０  ロック解除機構
１００  電力供給遮断機構
１１０  引出し機構
【図１】
2009157008.tif 000003
【図２】
2009157008.tif 000004
【図３】
2009157008.tif 000005
【図４】
2009157008.tif 000006
【図５】
2009157008.tif 000007
【図６】
2009157008.tif 000008